(57)【特許請求の範囲】
【請求項１】
一対の筐体が互いにスライド可能に連結され、一方の筐体の内部には回路基板が収容され、該回路基板には、他方の筐体とは反対側の背面に、コネクター部が設けられ、該コネクター部から引き出されたフレキシブルリードが前記他方の筐体の内部へ延びており、該フレキシブルリードの屈曲変形によって両筐体の相対移動が許容されるスライド式電子機器において、
前記一方の筐体の回路基板には開口が形成され、前記コネクター部から引き出されたフレキシブルリードは、前記コネクター部から、前記他方の筐体のスライド方向と平行な一方向へ引き出された後、前記回路基板の開口を貫通し、更に前記回路基板の表面に沿って前記一方向に延びた後、Ｕ字状の折り返し部を経て、前記他方の筐体の背面に沿って前記一方向とは逆方向に延び、その先端部が他方の筐体の内部へ繋がっていることを特徴とするスライド式電子機器。
【請求項２】
前記回路基板の開口は、前記コネクター部に近接して形成されている請求項１に記載のスライド式電子機器。
【発明の詳細な説明】
【技術分野】
【０００１】
本発明は、一対の筐体とが互いにスライド可能に連結されたスライド式電子機器に関するものである。
【背景技術】
【０００２】
従来、この様なスライド式電子機器においては、一方の筐体の内部から引き出されたフレキシブルリードが他方の筐体の内部へ延びており、該フレキシブルリードの屈曲変形によって両筐体の相対移動が許容される(特許文献１)。
【０００３】
例えば図１１(ａ)(ｂ)に示すスライド式電子機器においては、第１筐体(９)と第２筐体(91)とがスライドモジュール(93)を介して互いに連結されており、第１筐体(９)の内部に回路基板(８)が設置されている。
該回路基板(８)には、第２筐体(91)とは反対側の背面に、コネクター(81)が設置され、該コネクター(81)に、フレキシブルリード(82)の基端部(82a)が連結されている。
【０００４】
該フレキシブルリード(82)は、図１１(ａ)に示す如くコネクター(81)から回路基板(８)の背面(8a)に沿って第２筐体(91)のスライド方向へ延び、回路基板(８)の端縁にて折り返されてＵ字状の折り返し部(82b)が形成された後、該折り返し部(82b)から回路基板(８)の表面に沿って逆方向に延び、更に第２筐体(91)のバックキャビネット(92)の背面に沿って延びた後、その先端部(82c)が第２筐体(91)の内部へ繋がっている。
【０００５】
該スライド式電子機器においては、図１１(ａ)に示す如く第１筐体(９)の表面に第２筐体(91)の背面が重なった閉じ位置から、図１１(ｂ)に示す如く第２筐体(91)がスライドして、第１筐体(９)の表面の一部が露出した開き位置との間で、第１筐体(９)と第２筐体(91)とが互いに相対移動する過程で、フレキシブルリード(82)が屈曲変形して折り返し部(82b)の位置が移動することによって、第１筐体(９)と第２筐体(91)の相対移動が許容される。
【先行技術文献】
【特許文献】
【０００６】
【特許文献１】特開２００８−１２３０８１号公報
【発明の概要】
【発明が解決しようとする課題】
【０００７】
しかしながら、図１１に示すスライド式電子機器においては、コネクター(81)から引き出されたフレキシブルリード(82)が、回路基板(８)の背面(8a)に沿って回路基板(８)の端縁まで一方向に延びた後、折り返し部(82b)を経て、回路基板(８)の表面及び第２筐体(91)の背面に沿って逆方向に延びているので、この大きく迂回する経路のためにフレキシブルリード(82)が必要以上に長くなり、図１１(ｂ)に示す開き位置では、Ｕ字状の折り返し部(82b)を含む余裕長さ部分を収納する空間を確保せねばならないため、第１筐体(９)が大形化する問題があった。
【０００８】
又、コネクター(81)から引き出されたフレキシブルリード(82)が、回路基板(８)の背面(8a)に沿って回路基板(８)の端縁まで延びているので、回路基板(８)のこの背面領域には、電子部品を搭載することが出来ない問題があった。
【０００９】
そこで本発明の目的は、フレキシブルリードの長さを短縮し、回路基板の実装面積を拡大することが出来るスライド式電子機器を提供することである。
【課題を解決するための手段】
【００１０】
本発明に係るスライド式電子機器においては、第１筐体(１)と第２筐体(２)とが互いにスライド可能に連結され、第１筐体(１)の内部には回路基板(51)が収容され、該回路基板(51)には、第２筐体(２)とは反対側の背面に、コネクター部が設けられ、該コネクター部から引き出されたフレキシブルリード(55)が第２筐体(２)の内部へ延びており、該フレキシブルリード(55)の屈曲変形によって両筐体(１)(２)の相対移動が許容される。
ここで、前記第１筐体(１)の回路基板(51)には開口(56)が形成され、前記コネクター部から引き出されたフレキシブルリード(55)は、前記開口(56)を貫通して、第２筐体(２)の内部へ延びている。
【００１１】
具体的態様において、前記フレキシブルリード(55)は、前記回路基板(51)の第２筐体(２)側の表面に沿って第２筐体(２)のスライド方向と平行な一方向に延びた後、Ｕ字状の折り返し部(55b)を経て、第２筐体(２)の背面に沿って前記一方向とは逆方向に延び、その先端部が第２筐体(２)の内部へ繋がっている。
【００１２】
他の具体的態様において、前記回路基板(51)の開口(56)は、前記コネクター部に近接して形成されている。
【００１３】
上記本発明のスライド式電子機器においては、回路基板(51)のコネクター部から引き出されたフレキシブルリード(55)が、回路基板(51)の背面に沿って殆ど延びることなく、開口(56)を貫通して回路基板(51)の表面側に臨出し、回路基板(51)の表面に沿って僅かに延びた後に折り返されて、Ｕ字状の折り返し部(55b)が形成されているので、従来の様にコネクター部から引き出されたフレキシブルリードが、回路基板の背面に沿って回路基板の端縁まで延びている構成と比較して、フレキシブルリードの長さが短縮されることになる。
【００１４】
この結果、フレキシブルリード(55)の折り返し部(55b)を含む余裕長さ部分は必要最小限の長さで済み、これよって余裕長さ部分を収納する空間が縮小されて、第１筐体(１)の小形化が可能となる。
【００１５】
又、コネクター部から引き出されたフレキシブルリード(55)は、回路基板(51)の背面に沿って殆ど延びることなく、開口(56)を貫通して回路基板(51)の表面側に臨出しているので、回路基板(51)の背面には、フレキシブルリード(55)を沿わせるための領域が殆ど不要となり、これよって大きな実装面積を確保することが出来る。
【発明の効果】
【００１６】
本発明に係るスライド式電子機器によれば、フレキシブルリードの長さを短縮し、回路基板の実装面積を拡大することが出来る。
【図面の簡単な説明】
【００１７】
【図１】図１は、本発明の一実施形態であるスライド式電子機器の閉じた状態を示す斜視図である。
【図２】図２は、該スライド式電子機器の閉じた状態を裏返して示す斜視図である。
【図３】図３は、該スライド式電子機器の開いた状態を示す斜視図である。
【図４】図４は、該スライド式電子機器の開いた状態を裏返して示す斜視図である。
【図５】図５は、該スライド式電子機器の閉じた状態の断面図である。
【図６】図６は、該スライド式電子機器の開いた状態の断面図である。
【図７】図７は、該スライド式電子機器から第１筐体のバックキャビネットを取り外した状態を示す斜視図である。
【図８】図８は、更に第１筐体のフロントキャビネットと回路基板を分解した状態を示す斜視図である。
【図９】図９は、更にスライドモジュールと第２筐体のバックキャビネットを分解した状態を示す斜視図である。
【図１０】図１０は、該スライド式電子機器のスライド動作を説明する断面図である。
【図１１】図１１は、従来のスライド式電子機器のスライド動作を説明する断面図である。
【発明を実施するための形態】
【００１８】
以下、本発明をスライド式電子機器に実施した形態につき、図面に沿って具体的に説明する。
本発明の一実施形態であるスライド式電子機器は、図１〜図４に示す如く、第１筐体(１)と第２筐体(２)とを互いにスライド可能に連結して構成され、図３の如く第１筐体(１)の表面には複数の操作キー(11)が配備されると共に、図１の如く第２筐体(２)の表面には画面(21)が配備されている。
又、図２の如く、第１筐体(１)の背面には、撮影窓(44)が設けられると共に、放音孔(17)が開設されている。
【００１９】
第１筐体(１)は、図５に示す如く、それぞれ合成樹脂製のフロントキャビネット(12)とバックキャビネット(13)とを互いに接合して構成され、第１筐体(１)のの内部には回路基板(51)が収容されている。
又、第２筐体(２)は、それぞれ合成樹脂製のフロントキャビネット(22)とバックキャビネット(23)とを互いに接合して構成されている。
【００２０】
第１筐体(１)と第２筐体(２)とは、図９に示すスライドモジュール(３)によって互いにスライド可能に連結されている。スライドモジュール(３)は、ベース板(31)とスライド板(32)とを具え、ベース板(31)上のスライド板(32)は、図示省略するスプリングによって中立位置からスライド方向に沿う双方向に付勢されている。
【００２１】
スライドモジュール(３)は、スライド板(32)が第１筐体(１)のフロントキャビネット(12)と連結される一方、ベース板(31)が第２筐体(２)のバックキャビネット(23)に連結されている。
又、第１筐体(１)と第２筐体(２)の間には、図５及び図６に示す如く、フレキシブルリード(55)が必要最小限の余裕長さをもって延在している。
【００２２】
これによって、第１筐体(１)と第２筐体(２)は、図５に示す閉じ位置と図６に示す開き位置の間でスライドが可能であり、第２筐体(２)は、第１筐体(１)に対し、図５に示す閉じ位置では該閉じ位置に向かって付勢され、図６に示す開き位置では該開き位置に向かって付勢されている。
【００２３】
図８及び図９の如く、回路基板(51)の中央部にはスリット状の開口(56)が形成され、回路基板(51)の第２筐体(２)とは反対側の背面には、前記開口(56)の近接位置に、コネクター(54)が搭載されている。
【００２４】
図７に示す如く、回路基板(51)のコネクター(54)には、フレキシブルリード(55)の基端部(55a)が連結されている。
コネクター(54)から引き出されたフレキシブルリード(55)は、図９に示す如く第１筐体(１)のフロントキャビネット(12)に形成された開口(14)と、スライドモジュール(３)に形成された開口(30)と、第２筐体(２)のバックキャビネット(23)に形成された開口(24)とを経て、第２筐体(２)のフロントキャビネット(22)の内面に向かって延びており、図８の如く、フレキシブルリード(55)の先端部(55c)は、第２筐体(２)に配備されている液晶ディスプレイ(図示省略)に繋がっている。
【００２５】
より具体的には、図１０(ａ)に示す如く、回路基板(51)のコネクター(54)から引き出されたフレキシブルリード(55)は、コネクター(54)の近接位置にて、回路基板(51)の背面側から開口(56)を経て表面側へ臨出し、回路基板(51)の表面に沿って第２筐体(２)のスライド方向に沿う一方向に僅かに延びた後、Ｕ字状に折り返され、この折り返し部(55b)を経て、第２筐体(２)のバックキャビネット(23)の背面に沿って逆方向に延び、バックキャビネット(23)の開口(24)を経て、その先端部(55c)が第２筐体(２)の内部に繋がっている。
【００２６】
第２筐体(２)が図１０(ａ)に示す閉じ位置から図１０(ｂ)に示す開き位置までスライドする過程で、回路基板(51)の表面に沿うフレキシブルリード(55)は、回路基板(51)の表面に沿う長さを増大させながら屈曲変形し、図１０(ｂ)に示す開き位置では、折り返し部(55b)が回路基板(51)の端部まで移動することになる。
【００２７】
上記スライド式電子機器によれば、回路基板(51)のコネクター(54)から引き出されたフレキシブルリード(55)が、回路基板(51)の背面に沿って殆ど延びることなく、開口(56)を貫通して回路基板(51)の表面側に臨出し、回路基板(51)の表面に沿って僅かに延びた後に折り返されて、Ｕ字状の折り返し部(55b)が形成されているので、従来の様にコネクターから引き出されたフレキシブルリードが、回路基板の背面に沿って回路基板の端縁まで延びて該端縁を回り込んでいる構成と比較して、フレキシブルリードの経路長が短縮されることになる。
【００２８】
この結果、フレキシブルリード(55)の折り返し部(55b)を含む余裕長さ部分は必要最小限の長さで済み、これよって余裕長さ部分を収納する空間が縮小されて、第１筐体(１)の小形化が可能となる。
【００２９】
又、コネクター(54)から引き出されたフレキシブルリード(55)は、回路基板(51)の背面に沿って殆ど延びることなく、開口(56)を貫通して回路基板(51)の表面側に臨出しているので、図１０(ａ)(ｂ)に示す回路基板(51)の背面(51a)には、フレキシブルリード(55)を沿わせるための領域が殆ど不要となり、これよって回路基板(51)に大きな実装面積を確保することが出来る。
【００３０】
尚、本発明の各部構成は上記実施の形態に限らず、特許請求の範囲に記載の技術的範囲内で種々の変形が可能である。例えば、第１筐体(１)に回路基板(51)が設置され、フレキシブルリード(55)は第１筐体(１)から第２筐体(２)に向かって延びる構成に限らず、第１筐体(１)と第２筐体(２)とが入れ替わった構成、即ち、第２筐体(２)に回路基板(51)が設置され、フレキシブルリード(55)は第２筐体(２)から第１筐体(１)に向かって延びる構成であってもよい。
【符号の説明】
【００３１】
(１)  第１筐体
(12)  フロントキャビネット
(13)  バックキャビネット
(２)  第２筐体
(22)  フロントキャビネット
(23)  バックキャビネット
(３)  スライドモジュール
(51)  回路基板
(54)  コネクター
(55)  フレキシブルリード
(55a) 基端部
(55b) 折り返し部
(55c) 先端部
(56)  開口
【図１】
0005749075.tif 000002
【図２】
0005749075.tif 000003
【図３】
0005749075.tif 000004
【図４】
0005749075.tif 000005
【図５】
0005749075.tif 000006
【図６】
0005749075.tif 000007
【図７】
0005749075.tif 000008
【図８】
0005749075.tif 000009
【図９】
0005749075.tif 000010
【図１０】
0005749075.tif 000011
【図１１】
0005749075.tif 000012